(57)【要約】  インデキサブル式ドリル１０のドリル本体１２に設けられる一対の第１ねじれ溝２４および第２ねじれ溝２６が、硬化熱処理が施された後にボールエンドミル３０、３２による切削加工で鏡面仕上げされているため、溝内面の摩擦が低減されて切り屑が良好に排出されるようになる。これにより、溝長Ｌが長い深穴加工用のインデキサブル式ドリル１０においても、切り屑詰まりに起因する摩耗や刃欠け、折損等が抑制されて耐久性（工具寿命）が向上する。また、切り屑詰まりによる切削抵抗の増加が抑制されて安定した穴明け加工が可能になるとともに、穴明け加工が可能な限界加工条件が緩和されて加工可能領域が拡大される。
2013038565.tif 000002
【特許請求の範囲】
【請求項１】
円柱形状の外周面に一対の第１ねじれ溝および第２ねじれ溝が設けられ、該第１ねじれ溝の先端部には穴中心側を切削加工する内刃チップが取り付けられるとともに、該第２ねじれ溝の先端部には穴外周側を切削加工する外刃チップが取り付けられ、該内刃チップおよび該外刃チップにより穴明け加工を行いながら該第１ねじれ溝および該第２ねじれ溝を経てシャンク側へ切り屑を排出するインデキサブル式ドリルのドリル本体において、
前記第１ねじれ溝および前記第２ねじれ溝は、硬化熱処理が施された後にボールエンドミルによる切削加工で鏡面仕上げされている
ことを特徴とするインデキサブル式ドリルのドリル本体。
【請求項２】
前記第１ねじれ溝および前記第２ねじれ溝の表面粗さは、前記鏡面仕上げにより算術平均粗さＲａが０．４μｍ以下で且つ最大高さ粗さＲｚが１．６μｍ以下とされている
ことを特徴とする請求項１に記載のインデキサブル式ドリルのドリル本体。
【請求項３】
前記第１ねじれ溝は、溝底径が軸方向において一定またはシャンク側へ向かうに従って大きくなる正勾配で設けられており、
前記第２ねじれ溝は、溝底径が軸方向においてシャンク側へ向かうに従って小さくなる負勾配で設けられている
ことを特徴とする請求項１または２に記載のインデキサブル式ドリルのドリル本体。
【請求項４】
前記第１ねじれ溝および前記第２ねじれ溝のドリル本体先端側には、それぞれ前記内刃チップおよび前記外刃チップを取り付けるために略直角に切り欠かれたチップ取付凹所が設けられているとともに、
少なくとも該内刃チップが取り付けられる側の前記チップ取付凹所の側壁には、断面円弧形状のチップブレーカーが前記ドリル本体の先端から前記第１ねじれ溝に達するように設けられている
ことを特徴とする請求項１〜３の何れか１項に記載のインデキサブル式ドリルのドリル本体。
【請求項５】
前記第１ねじれ溝および前記第２ねじれ溝の溝長Ｌが前記外刃チップの外径であるドリル径Ｄに対して４Ｄ以上の深穴加工用である
ことを特徴とする請求項１〜４の何れか１項に記載のインデキサブル式ドリルのドリル本体。
【請求項６】
請求項１〜５の何れか１項に記載のインデキサブル式ドリルのドリル本体の製造方法であって、
前記第１ねじれ溝および前記第２ねじれ溝をそれぞれボールエンドミルによる切削加工で粗取りする溝粗取り工程と、
該溝粗取り工程の後に焼入れおよび焼戻しによる硬化熱処理を行う熱処理工程と、
該熱処理工程の後に、前記溝粗取り工程で用いた同じボールエンドミルにより０．３ｍｍ以下の取り代で切削加工を行って前記第１ねじれ溝および前記第２ねじれ溝を鏡面仕上げする溝仕上げ工程と、
を有することを特徴とするインデキサブル式ドリルのドリル本体の製造方法。
【発明の詳細な説明】
【技術分野】
【０００１】
本発明はインデキサブル式ドリルに係り、特に、溝長Ｌがドリル径Ｄに対して４Ｄ以上の深穴加工用のドリルにおいても優れた切り屑排出性能が得られるドリル本体に関するものである。
【背景技術】
【０００２】
円柱形状のドリル本体の外周面に一対の第１ねじれ溝および第２ねじれ溝が設けられ、その第１ねじれ溝の先端部には穴中心側を切削加工する内刃チップが取り付けられるとともに、その第２ねじれ溝の先端部には穴外周側を切削加工する外刃チップが取り付けられ、それ等の内刃チップおよび外刃チップにより穴明け加工を行いながら第１ねじれ溝および第２ねじれ溝を経てシャンク側へ切り屑を排出するインデキサブル式ドリルが知られている（特許文献１参照）。
【先行技術文献】
【特許文献】
【０００３】
【特許文献１】特開平１１−９０７１５号公報
【発明の概要】
【発明が解決しようとする課題】
【０００４】
しかしながら、このような従来のインデキサブル式ドリルにおいては、必ずしも十分な切り屑排出性能が得られず、切り屑詰まりにより摩耗や刃欠け、折損等が生じて耐久性（工具寿命）が低下したり、切り屑詰まりによる切削抵抗の増加で穴明け加工が不安定になったり加工条件が制約されたりする問題があった。特に、溝長Ｌがドリル径Ｄに対して４Ｄ以上の長さを有する深穴加工用のドリルの場合にこのような問題が顕著となる。【０００５】
本発明は以上の事情を背景として為されたもので、その目的とするところは、インデキサブル式ドリルのドリル本体に設けられる一対のねじれ溝による切り屑排出性能を一層向上させることにある。
【課題を解決するための手段】
【０００６】
かかる目的を達成するために、第１発明は、円柱形状の外周面に一対の第１ねじれ溝および第２ねじれ溝が設けられ、その第１ねじれ溝の先端部には穴中心側を切削加工する内刃チップが取り付けられるとともに、その第２ねじれ溝の先端部には穴外周側を切削加工する外刃チップが取り付けられ、それ等の内刃チップおよび外刃チップにより穴明け加工を行いながらその第１ねじれ溝および第２ねじれ溝を経てシャンク側へ切り屑を排出するインデキサブル式ドリルのドリル本体において、前記第１ねじれ溝および前記第２ねじれ溝は、硬化熱処理が施された後にボールエンドミルによる切削加工で鏡面仕上げされていることを特徴とする。【０００７】
第２発明は、第１発明のインデキサブル式ドリルのドリル本体において、前記第１ねじれ溝および前記第２ねじれ溝の表面粗さは、前記鏡面仕上げにより算術平均粗さＲａが０．４μｍ以下で且つ最大高さ粗さＲｚが１．６μｍ以下とされていることを特徴とする。【０００８】
第３発明は、第１発明または第２発明のインデキサブル式ドリルのドリル本体において、(a) 前記第１ねじれ溝は、溝底径が軸方向において一定またはシャンク側へ向かうに従って大きくなる正勾配で設けられており、(b) 前記第２ねじれ溝は、溝底径が軸方向においてシャンク側へ向かうに従って小さくなる負勾配で設けられていることを特徴とする。溝底径は、ドリル本体の軸心を中心とする溝底までの直径を意味する。【０００９】
第４発明は、第１発明〜第３発明の何れかのインデキサブル式ドリルのドリル本体において、(a) 前記第１ねじれ溝および前記第２ねじれ溝のドリル本体先端側には、それぞれ前記内刃チップおよび前記外刃チップを取り付けるために略直角に切り欠かれたチップ取付凹所が設けられているとともに、(b) 少なくともその内刃チップが取り付けられる側の前記チップ取付凹所の側壁には、断面円弧形状のチップブレーカーが前記ドリル本体の先端から前記第１ねじれ溝に達するように設けられていることを特徴とする。【００１０】
第５発明は、第１発明〜第４発明の何れかのインデキサブル式ドリルのドリル本体において、前記第１ねじれ溝および前記第２ねじれ溝の溝長Ｌが前記外刃チップの外径であるドリル径Ｄに対して４Ｄ以上の深穴加工用であることを特徴とする。【００１１】
第６発明は、第１発明〜第５発明の何れかのインデキサブル式ドリルのドリル本体の製造方法であって、(a) 前記第１ねじれ溝および前記第２ねじれ溝をそれぞれボールエンドミルによる切削加工で粗取りする溝粗取り工程と、(b) その溝粗取り工程の後に焼入れおよび焼戻しによる硬化熱処理を行う熱処理工程と、(c) その熱処理工程の後に、前記溝粗取り工程で用いた同じボールエンドミルにより０．３ｍｍ以下の取り代で切削加工を行って前記第１ねじれ溝および前記第２ねじれ溝を鏡面仕上げする溝仕上げ工程と、を有することを特徴とする。
【発明の効果】
【００１２】
第１発明のインデキサブル式ドリルのドリル本体においては、第１ねじれ溝および第２ねじれ溝が、硬化熱処理が施された後にボールエンドミルによる切削加工で鏡面仕上げされているため、溝内面の摩擦が低減されて切り屑が良好に排出されるようになる。これにより、溝長Ｌが長い深穴加工用のドリル本体においても、切り屑詰まりに起因する摩耗や刃欠け、折損等が抑制されて耐久性（工具寿命）が向上する。また、切り屑詰まりによる切削抵抗の増加が抑制されて安定した穴明け加工が可能になるとともに、穴明け加工が可能な限界加工条件が緩和されて加工可能領域が拡大される。【００１３】
第２発明では、鏡面仕上げによって算術平均粗さＲａが０．４μｍ以下で且つ最大高さ粗さＲｚが１．６μｍ以下とされているため、第１ねじれ溝および第２ねじれ溝の溝内面の摩擦低減による切り屑排出性能の向上効果が適切に得られる。【００１４】
第３発明では、内刃チップが設けられる第１ねじれ溝については、溝底径が軸方向において一定か、またはシャンク側へ向かうに従って大きくなる正勾配で設けられているが、内刃チップは穴内周側を切削加工するため、その切れ刃部分（ドリル本体先端部分）では溝底径を小さくする必要があり、その溝底径が軸方向において一定か正勾配とされることにより、切り屑排出性能を確保しつつ所定の剛性が得られる。外刃チップが設けられる第２ねじれ溝については、溝底径が軸方向においてシャンク側へ向かうに従って小さくなる負勾配で設けられているが、外刃チップは穴外周側を切削加工するため、その切れ刃部分（ドリル本体先端部分）では溝深さが浅くて良く、溝底径を大きくすることで高い剛性が得られるとともに、負勾配で設けられることによりシャンク側程溝断面積が大きくなって高い切り屑排出性能が得られる。そして、このように第１ねじれ溝および第２ねじれ溝の溝底の軸方向の変化勾配が別々に適切に定められることにより、内刃チップおよび外刃チップによって生成された切り屑の各々の排出性能およびドリル本体の剛性をバランス良く確保できる。【００１５】
第４発明では、少なくとも内刃チップが取り付けられるチップ取付凹所の側壁に断面円弧形状のチップブレーカーがドリル本体の先端から第１ねじれ溝に達するように設けられているため、内刃チップによって生成された切り屑が良好に分断されるようになり、切り屑排出性能が一層向上する。これにより、例えば粘りのある被削材に対して穴明け加工を行う場合でも、切り屑が分断されることにより適切に排出されるようになって切り屑詰まりが抑制される。【００１６】
第５発明は、溝長Ｌがドリル径Ｄに対して４Ｄ以上の深穴加工用のドリル本体に関するもので、溝長Ｌが長い分だけ切り屑詰まりが生じ易くなるが、第１ねじれ溝および第２ねじれ溝が硬化熱処理後に鏡面仕上げされることによって切り屑排出性能が向上し、その切り屑排出性能の向上に伴う各種の効果が一層顕著に得られる。【００１７】
第６発明は、第１発明〜第５発明のインデキサブル式ドリルのドリル本体の製造方法に関するもので、実質的に第１発明〜第５発明と同様の効果が得られるのに加えて、溝仕上げ工程では、溝粗取り工程で用いた同じボールエンドミルにより０．３ｍｍ以下の取り代で切削加工を行うため、第１ねじれ溝および第２ねじれ溝の溝内面を適切に鏡面仕上げすることができる。
【図面の簡単な説明】
【００１８】
【図１】本発明の一実施例であるインデキサブル式ドリルを示す平面図である。
【図２】図１のインデキサブル式ドリルを先端側（図１の右側）から見た拡大底面図である。
【図３】図１のインデキサブル式ドリルの先端部分の斜視図である。
【図４】図１のインデキサブル式ドリルの一対のねじれ溝を軸心Ｓと平行な平面内に示した断面図である。
【図５】図１のインデキサブル式ドリルのドリル本体の製造工程を説明する図である。
【図６】図５の溝粗取り工程を説明する図である。
【図７】図５の溝粗取り工程および溝仕上げ工程における加工条件の違いを説明する図である。
【図８】図５のチップ座仕上げ工程を説明する図である。
【図９】本発明品および従来品の溝表面の粗さ曲線の測定結果を比較して示した図である。
【図１０】本発明品を用いて穴明け加工を行った際の切削抵抗の測定結果を示す図である。
【図１１】従来品を用いて穴明け加工を行った場合の切削抵抗の測定結果を示す図である。
【図１２】本発明品および従来品を用いて複数種類の被削材に穴明け加工を行って耐久性を調べる際の加工条件を説明する図である。
【図１３】本発明品および従来品を用いて図１２の加工条件に従って複数種類の被削材に穴明け加工を行って耐久性を調べた試験結果を示す図である。
【図１４】本発明品および従来品を用いて耐久性試験を行った別の試験結果を示す図である。
【発明を実施するための形態】
【００１９】
本発明は、溝長Ｌがドリル径Ｄに対して４Ｄ以上の深穴加工用のドリル本体、特に５Ｄ以上の深穴加工用のドリル本体に好適に適用されるが、溝長Ｌが４Ｄ未満のドリル本体にも適用され得る。溝長Ｌは、第１ねじれ溝および第２ねじれ溝のシャンク側の切上げ直前位置からドリル本体の先端までの寸法（有効溝長）で、第１ねじれ溝および第２ねじれ溝の溝長Ｌが異なる場合は短い方向の溝長Ｌを採用すれば良い。これ等の第１ねじれ溝および第２ねじれ溝のねじれ方向は、内刃チップや外刃チップによって生成された切り屑がシャンク側へ排出されるように、ドリル回転方向に応じて定められる。すなわち、シャンク側から見て右まわりに回転駆動されて穴明け加工する場合は右ねじれとされ、左まわりに回転駆動されて穴明け加工する場合は左ねじれとされる。ドリル本体の材質としては、例えば高速度工具鋼や合金工具鋼、炭素工具鋼等の焼入れ等による硬化熱処理が可能な鋼材が用いられる。硬化熱処理後に鏡面仕上げするボールエンドミルは、超硬合金やセラミック等の超硬質工具材料製が望ましい。
【００２０】
内刃チップや外刃チップは、ＪＩＳに規定のスローアウェイチップに相当するもので、再研削することなく使い捨てにされるが、再研削して再使用することも可能である。これ等のチップは、例えばねじによってドリル本体に着脱可能に取り付けられるが、他のクランプ手段や固設手段を採用することもできる。チップの材質としては、超硬合金やセラミック等の超硬質工具材料が好適に用いられるが、高速度工具鋼等を採用することもできる。
【００２１】
ボールエンドミルによる鏡面仕上げは、例えば０．３ｍｍ以下の取り代で切削加工を行うが、この取り代は硬化熱処理による歪やドリル径等を考慮して適宜定められ、０．２５ｍｍ以下の取り代で切削加工を行うことが望ましいが、０．３ｍｍを越えた取り代で切削加工を行うことも可能である。第１ねじれ溝および第２ねじれ溝に対し、工具径等が異なる別々のボールエンドミルを用いることもできるが、溝幅が等しい場合には工具径等が等しい共通のボールエンドミルを用いることも可能である。第２発明では、鏡面仕上げにより算術平均粗さＲａが０．４μｍ以下で且つ最大高さ粗さＲｚが１．６μｍ以下とされるが、算術平均粗さＲａが０．３μｍ以下で且つ最大高さ粗さＲｚが１．５μｍ以下となるようにすることが更に望ましい。必要に応じて、エアロラップ等の研磨加工を行ったり、メッキ等の表面処理を施したりすることも可能である。上記算術平均粗さＲａおよび最大高さ粗さＲｚは、ＪＩＳの「Ｂ  ０６０１（２００１改正）」の規定に従って、触針法により測定される粗さ曲線から求められる。
【００２２】
第３発明では、第１ねじれ溝の溝底径が軸方向において一定または溝底が正勾配とされ、第２ねじれ溝の溝底が軸方向において負勾配とされているが、第１発明の実施に際しては何れも軸方向において一定の溝底径で設けたり、同じ勾配で傾斜させたりすることもできる。第３発明の第１ねじれ溝は、例えば０°〜＋０．６°程度の範囲内の軸方向勾配で設けられ、第２ねじれ溝は、例えば−０．２°〜−１°程度の範囲内の軸方向勾配で設けられる。この軸方向勾配は、ねじれ溝の全長に亘って一定であることが望ましいが、多少変化したり漸減或いは漸増したりしていても良い。
【００２３】
第４発明では、少なくとも内刃チップが取り付けられるチップ取付凹所の側壁にチップブレーカーが設けられ、外刃チップが取り付けられるチップ取付凹所の側壁にチップブレーカーを設けることもできるが、他の発明の実施に際しては、それ等のチップブレーカーを省略することもできる。チップブレーカーは、例えば半径が７ｍｍ程度以下の円弧状断面となるようにボールエンドミル等によって形成され、１ｍｍ程度或いはそれ以上の深さで設けることが望ましい。チップ取付凹所は、例えばスクエアエンドミルにより底刃でチップ取付座面が形成され、外周刃で側壁が形成されるように、側面加工によってねじれ溝と繋がるように設けられる。チップ取付座面には、例えば凹んだチップ取付座が設けられ、チップが位置決めされてねじ等により固設される。
【００２４】
第６発明は、第１発明〜第５発明のドリル本体を好適に製造できる製造方法の一例で、溝粗取り工程および溝仕上げ工程で同じボールエンドミルを用いて切削加工が行われるが、第１発明〜第５発明の実施に際しては、溝粗取り工程と溝仕上げ工程で異なるボールエンドミルを用いて切削加工を行っても良い。第６発明の溝仕上げ工程では、例えば溝粗取り工程に比較してボールエンドミルを軸方向の先端側へ所定の取り代分だけ深く挿入して切削加工が行われ、その先端部分の取り代が０．３ｍｍ以下とされる。その場合、ボールエンドミルの先端から離間するに従って取り代は少なくなる。また、溝仕上げ工程では、例えば切削速度が４０ｍ／ｍｉｎ以上の高速切削が望ましい。
【実施例】
【００２５】
以下、本発明の実施例を、図面を参照しつつ詳細に説明する。
図１は、本発明の一実施例であるインデキサブル式ドリル１０を軸心Ｓと直角方向から見た平面図で、図２は先端側（図１の右側）から見て拡大して示す拡大底面図、図３は先端部分を拡大して示す斜視図である。このインデキサブル式ドリル１０は、円柱形状のドリル本体１２の先端部に一対の内刃チップ１４および外刃チップ１６をそれぞれ取付ねじ１８、１９により着脱可能に一体的に取り付けて使用される。内刃チップ１４は穴中心側を切削加工するものでドリル本体１２の軸心Ｓの近傍に取り付けられ、外刃チップ１６は穴外周側を切削加工するものでドリル本体１２の外周側に取り付けられる。これ等の内刃チップ１４および外刃チップ１６は、超硬合金にて正方形の平板形状に形成されているとともに、軸心Ｓを中心とする径方向においてオーバーラップして切削加工を行うように切れ刃寸法（正方形の１辺の長さ寸法）が定められている。本実施例ではドリル径Ｄ＝２５ｍｍで、内刃チップ１４および外刃チップ１６の１辺の長さは８ｍｍである。そして、それ等の内刃チップ１４および外刃チップ１６は、それぞれドリル本体１２の先端側へ僅かに突き出すように取り付けられ、その突出部分に切れ刃が設けられて穴明け加工を行う。【００２６】
ドリル本体１２は、例えばＳＫＤ６１（ＨＲＣ５５程度）〔ＪＩＳの規定による合金工具鋼〕等の工具鋼にて構成されており、平坦な切欠２０が設けられたシャンク２２、および外周面に一対の第１ねじれ溝２４および第２ねじれ溝２６が設けられたボデー２８を共通の軸心Ｓ上に一体に備えている。これ等の第１ねじれ溝２４、第２ねじれ溝２６は右ねじれで、そのねじれ角は本実施例では約１６°であり、シャンク２２側から見て右まわりに回転駆動されることにより内刃チップ１４および外刃チップ１６によって穴明け加工が行われるとともに、それ等の内刃チップ１４、外刃チップ１６によって生成された切り屑は、それぞれ第１ねじれ溝２４、第２ねじれ溝２６内を通ってシャンク２２側へ排出される。【００２７】
上記第１ねじれ溝２４、第２ねじれ溝２６は、図６に示すようにボールエンドミル３０、３２による切削加工で設けられる。図６から明らかなように、軸心Ｓと直角な平面内においてボールエンドミル３０、３２はそれぞれ軸心Ｓから所定寸法だけオフセットした方向に切り込み、その状態で軸心Ｓ方向へ相対移動させられるとともに、ドリル本体１２を軸心Ｓまわりに回転させることで第１ねじれ溝２４、第２ねじれ溝２６がそれぞれ所定のねじれ角で設けられる。図６では、ボールエンドミル３０、３２が共にボデー２８に切り込んだ状態が示されているが、別々に切削加工すれば良い。【００２８】
第１ねじれ溝２４および第２ねじれ溝２６は、ボデー２８の先端部を所定寸法だけ残してボデー２８の外周面に設けられており、その先端部には図８に示すように共通のスクエアエンドミル３４を用いてチップ取付凹所３６、３８が設けられる。チップ取付凹所３６、３８は、スクエアエンドミル３４の底刃でチップ取付座面３６ａ、３８ａが形成され、外周刃で側壁３６ｂ、３８ｂが形成されるように、側面加工によって略直角に切削除去したもので、それぞれ第１ねじれ溝２４、第２ねじれ溝２６と繋がるように設けられている。チップ取付座面３６ａ、３８ａにはそれぞれ凹み（チップ取付座）が設けられ、前記内刃チップ１４、外刃チップ１６が埋設されて位置決めされた状態で取付ねじ１８、１９により一体的に固定される。図８では、一対のチップ取付凹所３６、３８がスクエアエンドミル３４によって同時に加工される状態が示されているが、別々に切削加工される。【００２９】
第１ねじれ溝２４、第２ねじれ溝２６の溝長Ｌ、すなわちシャンク２２側の切上げ直前位置（溝端部におけるエンドミル３０、３２の軸心位置）からボデー２８の先端までの寸法（有効溝長）は互いに等しいとともに、外刃チップ１６の外径であるドリル径Ｄに対して４Ｄ以上の長さ寸法で形成されている。本実施例では、ドリル径Ｄ＝２５ｍｍで、溝長Ｌ＝１２５ｍｍ＝５Ｄであり、５Ｄまでの深穴加工が可能である。ボデー２８の径寸法はドリル径Ｄよりも僅かに小さく、約２４ｍｍである。また、第１ねじれ溝２４を切削加工する前記ボールエンドミル３０の工具径は１２ｍｍ（先端Ｒは６ｍｍ）で、ボールエンドミル３２の工具径は１１ｍｍ（先端Ｒは５．５ｍｍ）であり、内刃チップ１４が設けられる側の第１ねじれ溝２４の方が第２ねじれ溝２６よりも溝幅が大きいとともに軸心Ｓの近くまで達するように設けられている。ドリル径Ｄが小さく切り屑が比較的少ない場合等には、ボールエンドミル３０および３２の工具径は同じでも良い。すなわち、第１ねじれ溝２４および第２ねじれ溝２６の溝幅が同じであっても良い。【００３０】
図４は、第１ねじれ溝２４および第２ねじれ溝２６の溝底径の軸方向変化を説明する断面図で、それ等のねじれ溝２４、２６を軸心Ｓと平行な平面内に示したものである。溝底径がシャンク２２側へ向かうに従って大きくなる方向を正として、第１ねじれ溝２４の溝底は軸方向において一定または正勾配で設けられており、第２ねじれ溝２６の溝底は負勾配で設けられている。具体的には、第１ねじれ溝２４の溝底の軸方向の変化勾配（軸方向勾配）θ１は、０°〜＋０．６°の範囲内の一定値に定められており、第２ねじれ溝２６の溝底の軸方向の変化勾配（軸方向勾配）θ２は、−０．２°〜−１°の範囲内の一定値に定められている。本実施例では、θ１≒＋０．３°、θ２≒−０．６°である。これ等の軸方向勾配θ１、θ２は、図６に示すボールエンドミル３０、３２の切込み深さを徐々に変化させることで設けることができる。軸方向勾配θ１、θ２は、ねじれ溝２４、２６の全長に亘ってそれぞれ一定であることが望ましいが、多少変化していても良い。【００３１】
ここで、内刃チップ１４は穴内周側を切削加工するため、その切れ刃部分すなわちドリル本体１２の先端部分では、第１ねじれ溝２４の溝底径を小さくする必要があり、その溝底の軸方向勾配θ１が０°〜＋０．６°の範囲内で定められることにより、切り屑排出性能を確保しつつ所定の剛性が得られる。外刃チップ１６は穴外周側を切削加工するため、その切れ刃部分すなわちドリル本体１２の先端部分では、第２ねじれ溝２６の溝深さが浅くて良く、溝底径を大きくすることで高い剛性が得られるとともに、その溝底の軸方向勾配θ２が−０．２°〜−１°の範囲内の負勾配とされることにより、シャンク２２側程溝断面積が大きくなって高い切り屑排出性能が得られる。そして、このように第１ねじれ溝２４および第２ねじれ溝２６の軸方向勾配θ１、θ２や溝幅、溝深さが別々に適切に定められることにより、内刃チップ１４および外刃チップ１６によって生成された切り屑の各々の排出性能およびドリル本体１２の剛性をバランス良く確保できる。【００３２】
このような第１ねじれ溝２４、第２ねじれ溝２６は、図５に示すように前記ボールエンドミル３０、３２による切削加工で粗取りする溝粗取り工程と、焼入れおよび焼戻しによる硬化熱処理を行う熱処理工程の後の溝仕上げ工程との２工程で形成される。溝仕上げ工程では、溝粗取り工程で用いた同じボールエンドミル３０、３２を用いて、０．３ｍｍ以下の取り代で切削加工を行って第１ねじれ溝２４および第２ねじれ溝２６を鏡面仕上げする。溝仕上げ工程における取り代は、硬化熱処理による歪やドリル径Ｄ等を考慮して適宜定められ、本実施例ではボールエンドミル３０、３２の先端における取り代が約０．２ｍｍとなるようにして切削加工を行った。これにより、それ等の第１ねじれ溝２４、第２ねじれ溝２６の溝内面が、それぞれ算術平均粗さＲａが０．４μｍ以下で且つ最大高さ粗さＲｚが１．６μｍ以下となるように鏡面仕上げされる。このように第１ねじれ溝２４および第２ねじれ溝２６が鏡面仕上げされることにより、溝内面の摩擦が低減されて切り屑が良好に排出されるようになる。【００３３】
図７は、内刃側の第１ねじれ溝２４、外刃側の第２ねじれ溝２６の各々について、上記溝粗取り工程および溝仕上げ工程におけるボールエンドミル３０、３２による切削加工の加工条件を示したもので、溝仕上げ工程では取り代（０．２ｍｍ）が小さいことから切削速度が５０ｍ／ｍｉｎの高速切削が可能であり、これにより溝内面が好適に鏡面仕上げされる。図７の「加工種類」の欄の「粗」は溝粗取り工程を意味し、「仕上」は溝仕上げ工程を意味する。また、図９は、本発明品および従来品におけるねじれ溝の溝内面の表面粗さを触針法によって測定した粗さ曲線を、同じスケールで比較して示した図である。本発明品は、上記溝仕上げ工程の後に無電解Ｎｉ（ニッケル）メッキを施したもので、従来品は、ねじれ溝を切削加工した後に硬化熱処理を行う点は同じであるが、その熱処理の後に仕上げ加工を行うことなく無電解Ｎｉメッキを施したものである。この図９の粗さ曲線に基づいて、ＪＩＳの「Ｂ  ０６０１（２００１改正）」の規定に従って算術平均粗さＲａおよび最大高さ粗さＲｚを求めたところ、本発明品ではＲａ＝０．２９５μｍ、Ｒｚ＝１．２６６μｍであったのに対し、従来品はＲａ＝０．５２４μｍ、Ｒｚ＝２．５５１μｍであり、何れも約１／２程度に改善された。【００３４】
図４に示されるように、ドリル本体１２の軸心Ｓには後端からオイルホール４０が設けられており、先端近傍でＹ字状に分岐されて、図２に示されるように先端逃げ面に設けられた開口４２、４４から潤滑油剤を給油（内部給油）できるようになっている。また、図２および図３に示されるように、前記チップ取付凹所３６、３８の側壁３６ｂ、３８ｂには、それぞれ断面円弧形状のチップブレーカー４６、４８が、ドリル本体１２の先端から第１ねじれ溝２４、第２ねじれ溝２６に達するように、軸心Ｓと略平行に設けられている。本実施例では、何れのチップブレーカー４６、４８も、ボール刃のＲ＝５ｍｍのボールエンドミルによる切削加工で、側壁３６ｂ、３８ｂの壁面からの深さが約１ｍｍとなるように設けられている。このように側壁３６ｂ、３８ｂにチップブレーカー４６、４８が設けられると、内刃チップ１４、外刃チップ１６によって生成された切り屑がチップブレーカー４６、４８により良好に分断されるようになり、切り屑排出性能が一層向上する。【００３５】
図５は、このようなドリル本体１２の製造方法の一例を説明する工程図で、前記ボールエンドミル３０、３２による溝粗取り工程に続いて、前記スクエアエンドミル３４等を用いてチップ座を仕上げ加工する。このチップ座仕上げ工程では、スクエアエンドミル３４を用いてチップ取付凹所３６、３８を切削加工した後、チップ取付用の凹み（チップ取付座）を切削加工するとともに、ボールエンドミルを用いて前記チップブレーカー４６、４８を切削加工する。また、ドリル本体１２の後端から軸心Ｓ上に穴明け加工を行うなどしてオイルホール４０を設けた後、焼入れおよび焼戻しによる硬化熱処理を行い、この硬化熱処理によってドリル本体１２の硬さがＨＲＣ５５程度とされる。硬化熱処理を行った後に、溝粗取り工程で用いた同じボールエンドミル３０、３２による溝仕上げ工程で第１ねじれ溝２４および第２ねじれ溝２６を鏡面仕上げする。その後、それ等の第１ねじれ溝２４および第２ねじれ溝２６の溝内面を含むドリル本体１２の全周に無電解Ｎｉメッキを施す。【００３６】
このような本実施例のインデキサブル式ドリル１０においては、ドリル本体１２の第１ねじれ溝２４および第２ねじれ溝２６が、硬化熱処理が施された後にボールエンドミル３０、３２による切削加工で鏡面仕上げされているため、溝内面の摩擦が低減されて切り屑が良好に排出されるようになる。これにより、溝長Ｌが長い深穴加工用のインデキサブル式ドリル１０においても、切り屑詰まりに起因する摩耗や刃欠け、折損等が抑制されて耐久性（工具寿命）が向上する。また、切り屑詰まりによる切削抵抗の増加が抑制されて安定した穴明け加工が可能になるとともに、穴明け加工が可能な限界加工条件が緩和されて加工可能領域が拡大される。【００３７】
また、本実施例では、第１ねじれ溝２４および第２ねじれ溝２６の溝内面が、鏡面仕上げによって算術平均粗さＲａが０．４μｍ以下で且つ最大高さ粗さＲｚが１．６μｍ以下とされるため、それ等の第１ねじれ溝２４および第２ねじれ溝２６の溝内面の摩擦低減による切り屑排出性能の向上効果が適切に得られる。【００３８】
また、本実施例では、第１ねじれ溝２４の溝底の軸方向勾配θ１および第２ねじれ溝２６の溝底の軸方向勾配θ２が別々に適切に設定され、第１ねじれ溝２４の軸方向勾配θ１は０°〜＋０．６°の範囲内の一定値に定められ、第２ねじれ溝２６の軸方向勾配θ２は−０．２°〜−１°の範囲内の一定値に定められるため、内刃チップ１４および外刃チップ１６によって生成された切り屑の各々の排出性能およびドリル本体１２の剛性をバランス良く確保できる。特に、第１ねじれ溝２４および第２ねじれ溝２６の溝幅や溝深さも別々に定められているため、切り屑排出性能および剛性を一層バランス良く確保できる。【００３９】
また、本実施例では、チップ取付凹所３６、３８の側壁３６ｂ、３８ｂに断面円弧形状のチップブレーカー４６、４８がドリル本体１２の先端から第１ねじれ溝２４、第２ねじれ溝２６に達するように設けられているため、内刃チップ１４および外刃チップ１６によって生成された切り屑が良好に分断されるようになり、切り屑排出性能が一層向上する。これにより、例えば粘りのある被削材に対して穴明け加工を行う場合でも、切り屑が分断されることにより適切に排出されるようになって切り屑詰まりが抑制される。【００４０】
また、本実施例のインデキサブル式ドリル１０は、溝長Ｌがドリル径Ｄに対して４Ｄ以上の深穴加工用で、溝長Ｌが長い分だけ切り屑詰まりが生じ易くなるが、第１ねじれ溝２４および第２ねじれ溝２６が硬化熱処理後に鏡面仕上げされるとともに、第１ねじれ溝２４の溝底の軸方向勾配θ１および第２ねじれ溝２６の溝底の軸方向勾配θ２が別々に設定され、更にチップ取付凹所３６、３８の側壁３６ｂ、３８ｂにチップブレーカー４６、４８が設けられることにより、ドリル本体１２の剛性を確保しつつ優れた切り屑排出性能が得られるようになり、その切り屑排出性能の向上に伴う各種の効果が一層顕著に得られる。【００４１】
また、本実施例では、硬化熱処理の後に溝粗取り工程で用いた同じボールエンドミル３０、３２により０．３ｍｍ以下の取り代で溝仕上げ切削を行うため、第１ねじれ溝２４および第２ねじれ溝２６の溝内面を適切に鏡面仕上げすることができる。特に、５０ｍ／ｍｉｎの切削速度で高速切削するため、溝内面が一層好適に鏡面仕上げされる。【００４２】
図１０および図１１は、本発明品および従来品を用いて以下の加工条件で穴明け加工を行って切削抵抗を測定した測定結果で、図１０は本発明品、図１１は従来品である。本発明品は、前記実施例のインデキサブル式ドリル１０そのものである。従来品は、硬化熱処理の後の仕上げ加工による鏡面仕上げを行うことなく表面処理（無電解Ｎｉメッキ）を行ったもので、第１ねじれ溝２４の溝底の軸方向勾配θ１および第２ねじれ溝２６の溝底の軸方向勾配θ２が何れも０°であり、且つチップブレーカー４６、４８を備えていない。なお、以下の加工条件の被削材「Ｓ５０Ｃ」は、ＪＩＳの規定による機械構造用炭素鋼である。
《加工条件》
加工穴径：φ２５
加工深さ：５０ｍｍ
被削材：Ｓ５０Ｃ
切削速度Ｖ：１８０ｍ／ｍｉｎ
送り速度Ｆ：０．１８ｍｍ／ｒｅｖ
加工機：横型マシニングセンタ
切削油：水溶性切削油剤（内部給油）【００４３】
図１０および図１１の切削抵抗値のグラフから明らかなように、本発明品に関する図１０では穴明け加工の開始から終了まで略１３００Ｎ〜１７００Ｎ程度の範囲内である。これに対し、従来品に関する図１１では、穴明け加工の中盤までは本発明品と略同じであるが、加工深さが３５ｍｍ（横軸の時間で約２０秒）を越えた付近から切削抵抗の振幅が大きくなり、加工深さが略５０ｍｍに達する最終段階では１０００Ｎ〜２０００Ｎを越える大きな振幅で変化している。これは、加工深さが３５ｍｍを越えた付近から切り屑の排出性能が悪くなり、切り屑詰まりによって切削抵抗の変化が大きくなったものと考えられる。【００４４】
図１２および図１３は、本発明品および従来品を用いて複数種類の被削材に穴明け加工を行って耐久性を調べた結果を説明する図で、図１２は複数種類の被削材毎の加工条件を示した図、図１３は複数種類の被削材毎に耐久性の試験結果を示した図である。本発明品および従来品は、上記図１０、図１１の試験で用いたものと同じである。また、図１２に示す切削速度、送り速度以外の加工条件は以下の通りで、被削材の種類に拘らず同じであり、切れ刃の摩耗幅が０．３ｍｍに達するまでの加工穴数を調べた。なお、図１２の被削材の「ＳＵＳ３０４」、「ＳＣＭ４４０」は何れもＪＩＳの規定によるもので、「ＳＵＳ３０４」はステンレス鋼、「ＳＣＭ４４０」はクロムモリブデン鋼である。
《加工条件》
加工穴径：φ２５
加工深さ：１２５ｍｍ
加工機：横型マシニングセンタ
切削油：水溶性切削油剤（内部給油）【００４５】
図１３の結果から明らかなように、何れの被削材に対しても本発明品は従来品に比較して耐久性が大幅に向上した。具体的には、ＳＵＳ３０４、ＳＣＭ４４０については耐久性が４５％程度向上し、Ｓ５０Ｃについては耐久性が３０％程度向上した。【００４６】
図１４は、本発明品および従来品を用いて耐久性試験を行った別の試験結果を示す図である。ここでは、鏡面仕上げの有無による耐久性の違いを調べるため、前記実施例のインデキサブル式ドリル１０に比較して、硬化熱処理の後に仕上げ加工による鏡面仕上げを行って表面処理（無電解Ｎｉメッキ）を行った点は同じであるが、第１ねじれ溝２４の溝底の軸方向勾配θ１および第２ねじれ溝２６の溝底の軸方向勾配θ２は何れも０°で、且つチップブレーカー４６、４８を備えていないものを本発明品として用意した。従来品は、前記図１１の試験で用いたものと同じで、硬化熱処理の後の仕上げ加工による鏡面仕上げを行うことなく表面処理（無電解Ｎｉメッキ）を行ったものであり、第１ねじれ溝２４の溝底の軸方向勾配θ１および第２ねじれ溝２６の溝底の軸方向勾配θ２が何れも０°で、且つチップブレーカー４６、４８を備えていない。そして、以下の加工条件で穴明け加工を行い、切れ刃の摩耗幅が０．３ｍｍに達するか加工不可になるまでの切削距離（加工穴数×加工深さ）を調べた。
《加工条件》
加工穴径：φ２５
加工深さ：１２５ｍｍ
被削材：Ｓ５０Ｃ
切削速度Ｖ：１５０ｍ／ｍｉｎ
送り速度Ｆ：０．１８ｍｍ／ｒｅｖ
加工機：横型マシニングセンタ
切削油：水溶性切削油剤（内部給油）【００４７】
図１４の試験結果から明らかなように、本発明品によれば従来品に比較して耐久性が７０％程度向上した。この耐久性試験では、従来品は外刃チップ１６の欠けにより加工不可となり、切り屑の噛み込みが原因と考えられる。これに対し本発明品は、切れ刃の摩耗幅が０．３ｍｍに達するまで穴明け加工を継続することができた。【００４８】
以上、本発明の実施例を図面に基づいて詳細に説明したが、これ等はあくまでも一実施形態であり、本発明は当業者の知識に基づいて種々の変更、改良を加えた態様で実施することができる。
【符号の説明】
【００４９】
１０：インデキサブル式ドリル    １２：ドリル本体    １４：内刃チップ    １６：外刃チップ    ２４：第１ねじれ溝    ２６：第２ねじれ溝    ３０、３２：ボールエンドミル    ３６、３８：チップ取付凹所    ３６ｂ、３８ｂ：側壁    ４６、４８：チップブレーカー    Ｓ：軸心    Ｌ：溝長    Ｄ：ドリル径    θ１、θ２：溝底の軸方向勾配
【図１】
2013038565.tif 000003
【図２】
2013038565.tif 000004
【図３】
2013038565.tif 000005
【図４】
2013038565.tif 000006
【図５】
2013038565.tif 000007
【図６】
2013038565.tif 000008
【図７】
2013038565.tif 000009
【図８】
2013038565.tif 000010
【図９】
2013038565.tif 000011
【図１０】
2013038565.tif 000012
【図１１】
2013038565.tif 000013
【図１２】
2013038565.tif 000014
【図１３】
2013038565.tif 000015
【図１４】
2013038565.tif 000016
【手続補正書】
【提出日】平成24年1月12日(2012.1.12)
【手続補正１】
【補正対象書類名】特許請求の範囲
【補正対象項目名】全文
【補正方法】変更
【補正の内容】
【特許請求の範囲】
【請求項１】
円柱形状の外周面に一対の第１ねじれ溝および第２ねじれ溝が設けられ、該第１ねじれ溝の先端部には穴中心側を切削加工する内刃チップが取り付けられるとともに、該第２ねじれ溝の先端部には穴外周側を切削加工する外刃チップが取り付けられ、該内刃チップおよび該外刃チップにより穴明け加工を行いながら該第１ねじれ溝および該第２ねじれ溝を経てシャンク側へ切り屑を排出するインデキサブル式ドリルのドリル本体において、
前記第１ねじれ溝および前記第２ねじれ溝の溝長Ｌが前記外刃チップの外径であるドリル径Ｄに対して４Ｄ以上の深穴加工用で、
前記第１ねじれ溝は、溝底径が軸方向において一定またはシャンク側へ向かうに従って大きくなる正勾配で設けられており、
前記第２ねじれ溝は、溝底径が軸方向においてシャンク側へ向かうに従って小さくなる負勾配で設けられている
ことを特徴とするインデキサブル式ドリルのドリル本体。
【請求項２】
（削除）
【請求項３】
前記第１ねじれ溝は、有効溝長の全長に亘って溝底径が軸方向において一定またはシャンク側へ向かうに従って大きくなる一定の正勾配で設けられており、
前記第２ねじれ溝は、有効溝長の全長に亘って溝底径が軸方向においてシャンク側へ向かうに従って小さくなる一定の負勾配で設けられている
ことを特徴とする請求項１に記載のインデキサブル式ドリルのドリル本体。
【請求項４】
前記第１ねじれ溝および前記第２ねじれ溝のドリル本体先端側には、それぞれ前記内刃チップおよび前記外刃チップを取り付けるために略直角に切り欠かれたチップ取付凹所が設けられているとともに、
少なくとも該内刃チップが取り付けられる側の前記チップ取付凹所の側壁には、断面円弧形状のチップブレーカーが前記ドリル本体の先端から前記第１ねじれ溝に達するように設けられている
ことを特徴とする請求項１または３に記載のインデキサブル式ドリルのドリル本体。
【請求項５】
（削除）
【請求項６】
（削除）
【請求項７】
前記第１ねじれ溝および前記第２ねじれ溝は、硬化熱処理が施された後にボールエンドミルによる切削加工で鏡面仕上げされている
ことを特徴とする請求項１、３、または４に記載のインデキサブル式ドリルのドリル本体。
【請求項８】
前記第１ねじれ溝および前記第２ねじれ溝の表面粗さは、前記鏡面仕上げにより算術平均粗さＲａが０．４μｍ以下で且つ最大高さ粗さＲｚが１．６μｍ以下とされている
ことを特徴とする請求項７に記載のインデキサブル式ドリルのドリル本体。
【手続補正３】
【補正対象書類名】明細書
【補正対象項目名】０００１
【補正方法】変更
【補正の内容】
【０００１】
技術分野
［０００１］
本発明はインデキサブル式ドリルに係り、特に、溝長Ｌがドリル径Ｄに対して４Ｄ以上の深穴加工用のドリルにおいても優れた切り屑排出性能が得られるドリル本体に関するものである。
背景技術
［０００２］
円柱形状のドリル本体の外周面に一対の第１ねじれ溝および第２ねじれ溝が設けられ、その第１ねじれ溝の先端部には穴中心側を切削加工する内刃チップが取り付けられるとともに、その第２ねじれ溝の先端部には穴外周側を切削加工する外刃チップが取り付けられ、それ等の内刃チップおよび外刃チップにより穴明け加工を行いながら第１ねじれ溝および第２ねじれ溝を経てシャンク側へ切り屑を排出するインデキサブル式ドリルが知られている（特許文献１参照）。
先行技術文献
特許文献
［０００３］
特許文献１：特開平１１−９０７１５号公報
発明の概要
発明が解決しようとする課題
［０００４］
しかしながら、このような従来のインデキサブル式ドリルにおいては、必ずしも十分な切り屑排出性能が得られず、切り屑詰まりにより摩耗や刃欠け、折損等が生じて耐久性（工具寿命）が低下したり、切り屑詰まりによる切削抵抗の増加で穴明け加工が不安定になったり加工条件が制約されたりする問題があった。特に、溝長Ｌがドリル径Ｄに対して４Ｄ以上の長さを有する深穴加工用のドリルの場合にこのような問題が顕著となる。
［０００５］
本発明は以上の事情を背景として為されたもので、その目的とするところ
【手続補正４】
【補正対象書類名】明細書
【補正対象項目名】０００２
【補正方法】変更
【補正の内容】
【０００２】
は、インデキサブル式ドリルのドリル本体に設けられる一対のねじれ溝による切り屑排出性能を一層向上させることにある。
課題を解決するための手段
［０００６］
かかる目的を達成するために、第１発明は、円柱形状の外周面に一対の第１ねじれ溝および第２ねじれ溝が設けられ、その第１ねじれ溝の先端部には穴中心側を切削加工する内刃チップが取り付けられるとともに、その第２ねじれ溝の先端部には穴外周側を切削加工する外刃チップが取り付けられ、それ等の内刃チップおよび外刃チップにより穴明け加工を行いながらその第１ねじれ溝および第２ねじれ溝を経てシャンク側へ切り屑を排出するインデキサブル式ドリルのドリル本体において、（ａ）前記第１ねじれ溝および前記第２ねじれ溝の溝長Ｌが前記外刃チップの外径であるドリル径Ｄに対して４Ｄ以上の深穴加工用で、（ｂ）前記第１ねじれ溝は、溝底径が軸方向において一定またはシャンク側へ向かうに従って大きくなる正勾配で設けられており、（ｃ）前記第２ねじれ溝は、溝底径が軸方向においてシャンク側へ向かうに従って小さくなる負勾配で設けられていることを特徴とする。溝底径は、ドリル本体の軸心を中心とする溝底までの直径を意味する。
［０００７］
［０００８］
第２発明は、第１発明のインデキサブル式ドリルのドリル本体において、（ａ）前記第１ねじれ溝は、有効溝長の全長に亘って溝底径が軸方向において一定またはシャンク側へ向かうに従って大きくなる一定の正勾配で設けられており、（ｂ）前記第２ねじれ溝は、有効溝長の全長に亘って溝底径が軸方向においてシャンク側へ向かうに従って小さくなる一定の負勾配で設けられていることを特徴とする。この第２発明は、請求項３に記載の発明に対応する。
［０００９］
第３発明は、第１発明または第２発明のインデキサブル式ドリルのドリル本体において、（ａ）前記第１ねじれ溝および前記第２ねじれ溝のドリル本体先端側には、それぞれ前記内刃チップおよび前記外刃チップを取り付けるために略直角に切り欠かれたチップ取付凹所が設けられているとともに、（ｂ）少なくともその内刃チップが取り付けられる側の前記チップ取付凹所の側壁には、断面円弧形状のチップブレーカーが前記ドリル本体の先端から前記
【手続補正５】
【補正対象書類名】明細書
【補正対象項目名】０００３
【補正方法】変更
【補正の内容】
【０００３】
第１ねじれ溝に達するように設けられていることを特徴とする。この第３発明は、請求項４に記載の発明に対応する。
［００１０］
第４発明は、第１発明〜第３発明の何れかのインデキサブル式ドリルのドリル本体において、前記第１ねじれ溝および前記第２ねじれ溝は、硬化熱処理が施された後にボールエンドミルによる切削加工で鏡面仕上げされていることを特徴とする。この第４発明は、請求項７に記載の発明に対応する。
［００１１］
第５発明は、第４発明のインデキサブル式ドリルのドリル本体において、前記第１ねじれ溝および前記第２ねじれ溝の表面粗さは、前記鏡面仕上げにより算術平均粗さＲａが０．４μｍ以下で且つ最大高さ粗さＲｚが１．６μｍ以下とされていることを特徴とする。この第５発明は、請求項８に記載の発明に対応する。
発明の効果
［００１２］
［００１３］
［００１４］
第１発明のインデキサブル式ドリルのドリル本体においては、内刃チップが設けられる第１ねじれ溝については、溝底径が軸方向において一定か、またはシャンク側へ向かうに従って大きくなる正
【手続補正６】
【補正対象書類名】明細書
【補正対象項目名】０００４
【補正方法】変更
【補正の内容】
【０００４】
勾配で設けられているが、内刃チップは穴内周側を切削加工するため、その切れ刃部分（ドリル本体先端部分）では溝底径を小さくする必要があり、その溝底径が軸方向において一定か正勾配とされることにより、切り屑排出性能を確保しつつ所定の剛性が得られる。外刃チップが設けられる第２ねじれ溝については、溝底径が軸方向においてシャンク側へ向かうに従って小さくなる負勾配で設けられているが、外刃チップは穴外周側を切削加工するため、その切れ刃部分（ドリル本体先端部分）では溝深さが浅くて良く、溝底径を大きくすることで高い剛性が得られるとともに、負勾配で設けられることによりシャンク側程溝断面積が大きくなって高い切り屑排出性能が得られる。そして、このように第１ねじれ溝および第２ねじれ溝の溝底の軸方向の変化勾配が別々に適切に定められることにより、内刃チップおよび外刃チップによって生成された切り屑の各々の排出性能およびドリル本体の剛性をバランス良く確保できる。
［００１５］
第３発明では、少なくとも内刃チップが取り付けられるチップ取付凹所の側壁に断面円弧形状のチップブレーカーがドリル本体の先端から第１ねじれ溝に達するように設けられているため、内刃チップによって生成された切り屑が良好に分断されるようになり、切り屑排出性能が一層向上する。これにより、例えば粘りのある被削材に対して穴明け加工を行う場合でも、切り屑が分断されることにより適切に排出されるようになって切り屑詰まりが抑制される。
［００１６］
第４発明では、第１ねじれ溝および第２ねじれ溝が、硬化熱処理が施された後にボールエンドミルによる切削加工で鏡面仕上げされているため、溝内面の摩擦が低減されて切り屑が良好に排出されるようになる。これにより、溝長Ｌが長い深穴加工用のドリル本体においても、切り屑詰まりに起因する摩耗や刃欠け、折損等が抑制されて耐久性（工具寿命）が向上する。また、切り屑詰まりによる切削抵抗の増加が抑制されて安定した穴明け加工が可能になるとともに、穴明け加工が可能な限界加工条件が緩和されて加工可能領域が拡大される。
［００１７］
第５発明では、鏡面仕上げによって算術平均粗さＲａが０．４μｍ以下で且つ最大高さ粗さＲｚが１．６μｍ以下とされているため、第１ねじれ溝および第２ねじれ溝の溝内面の摩擦低減による切り屑排出性能の向上効果が適切に得られる。
【手続補正７】
【補正対象書類名】明細書
【補正対象項目名】０００５
【補正方法】変更
【補正の内容】
【０００５】
図面の簡単な説明
［００１８］
［図１］本発明の一実施例であるインデキサブル式ドリルを示す平面図である。
［図２］図１のインデキサブル式ドリルを先端側（図１の右側）から見た拡大底面図である。
［図３］図１のインデキサブル式ドリルの先端部分の斜視図である。
［図４］図１のインデキサブル式ドリルの一対のねじれ溝を軸心Ｓと平行な平面内に示した断面図である。
［図５］図１のインデキサブル式ドリルのドリル本体の製造工程を説明する図である。
［図６］図５の溝粗取り工程を説明する図である。
［図７］図５の溝粗取り工程および溝仕上げ工程における加工条件の違いを説明する図である。
［図８］図５のチップ座仕上げ工程を説明する図である。
［図９］本発明品および従来品の溝表面の粗さ曲線の測定結果を比較して示した図である。
発明を実施するための形態
【手続補正８】
【補正対象書類名】明細書
【補正対象項目名】０００６
【補正方法】変更
【補正の内容】
【０００６】
［００１９］
本発明は、溝長Ｌがドリル径Ｄに対して４Ｄ以上の深穴加工用のドリル本体、特に５Ｄ以上の深穴加工用のドリル本体に好適に適用される。溝長Ｌは、第１ねじれ溝および第２ねじれ溝のシャンク側の切上げ直前位置からドリル本体の先端までの寸法（有効溝長）で、第１ねじれ溝および第２ねじれ溝の溝長Ｌが異なる場合は短い方向の溝長Ｌを採用すれば良い。これ等の第１ねじれ溝および第２ねじれ溝のねじれ方向は、内刃チップや外刃チップによって生成された切り屑がシャンク側へ排出されるように、ドリル回転方向に応じて定められる。すなわち、シャンク側から見て右まわりに回転駆動されて穴明け加工する場合は右ねじれとされ、左まわりに回転駆動されて穴明け加工する場合は左ねじれとされる。ドリル本体の材質としては、例えば高速度工具鋼や合金工具鋼、炭素工具鋼等の焼入れ等による硬化熱処理が可能な鋼材が用いられる。硬化熱処理後に鏡面仕上げするボールエンドミルは、超硬合金やセラミック等の超硬質工具材料製が望ましい。
［００２０］
内刃チップや外刃チップは、ＪＩＳに規定のスローアウェイチップに相当するもので、再研削することなく使い捨てにされるが、再研削して再使用することも可能である。これ等のチップは、例えばねじによってドリル本体に着脱可能に取り付けられるが、他のクランプ手段や固設手段を採用することもできる。チップの材質としては、超硬合金やセラミック等の超硬質工具材料が好適に用いられるが、高速度工具鋼等を採用することもできる。
［００２１］
ボールエンドミルによる鏡面仕上げは、例えば０．３ｍｍ以下の取り代で切削加工を行うが、この取り代は硬化熱処理による歪やドリル径等を考慮して適宜定められ、０．２５ｍｍ以下の取り代で切削加工を行うことが望ましいが、０．３ｍｍを越えた取り代で切削加工を行うことも可能である。第１ねじれ溝および第２ねじれ溝に対し、工具径等が異なる別々のボールエンドミルを用いることもできるが、溝幅が等しい場合には工具径等が等しい共通のボールエンドミルを用いることも可能である。第５発明では、鏡面仕上げにより算術平均粗さＲａが０．４μｍ以下で且つ最大高さ粗さＲｚが１．６
【手続補正９】
【補正対象書類名】明細書
【補正対象項目名】０００７
【補正方法】変更
【補正の内容】
【０００７】
μｍ以下とされるが、算術平均粗さＲａが０．３μｍ以下で且つ最大高さ粗さＲｚが１．５μｍ以下となるようにすることが更に望ましい。必要に応じて、エアロラップ等の研磨加工を行ったり、メッキ等の表面処理を施したりすることも可能である。上記算術平均粗さＲａおよび最大高さ粗さＲｚは、ＪＩＳの「Ｂ  ０６０１（２００１改正）」の規定に従って、触針法により測定される粗さ曲線から求められる。
［００２２］
第１ねじれ溝の溝底径が軸方向において一定または溝底が正勾配とされ、第２ねじれ溝の溝底が軸方向において負勾配とされているが、第１ねじれ溝は、例えば０°〜＋０．６°程度の範囲内の軸方向勾配で設けられ、第２ねじれ溝は、例えば−０．２°〜−１°程度の範囲内の軸方向勾配で設けられる。この軸方向勾配は、ねじれ溝の全長に亘って一定であることが望ましいが、多少変化したり漸減或いは漸増したりしていても良い。
［００２３］
第３発明では、少なくとも内刃チップが取り付けられるチップ取付凹所の側壁にチップブレーカーが設けられ、外刃チップが取り付けられるチップ取付凹所の側壁にチップブレーカーを設けることもできるが、他の発明の実施に際しては、それ等のチップブレーカーを省略することもできる。チップブレーカーは、例えば半径が７ｍｍ程度以下の円弧状断面となるようにボールエンドミル等によって形成され、１ｍｍ程度或いはそれ以上の深さで設けることが望ましい。チップ取付凹所は、例えばスクエアエンドミルにより底刃でチップ取付座面が形成され、外周刃で側壁が形成されるように、側面加工によってねじれ溝と繋がるように設けられる。チップ取付座面には、例えば凹んだチップ取付座が設けられ、チップが位置決めされてねじ等により固設される。
［００２４］
第１発明〜第５発明のドリル本体を好適に製造できる製造方法は、例えば（ａ）前記第１ねじれ溝および前記第２ねじれ溝をそれぞれボールエンドミルによる切削加工で粗取りする溝粗取り工程と、（ｂ）その溝粗取り工程の後に焼入れおよび焼戻しによる硬化熱処理を行う熱処理工程と、（ｃ）その熱処理工程の後に、前記溝粗取り工程で用いた同じボールエンドミルにより０．３ｍｍ以下の取り代で切削加工を行って前記第１ねじれ溝および前記第２ねじれ溝を鏡面仕上げする溝仕上げ工程と、を有する。この場合、溝粗取り工程および溝仕上げ工程で同じボールエンドミルを用いて切削加工が行われるが、溝粗取
【手続補正１０】
【補正対象書類名】明細書
【補正対象項目名】０００８
【補正方法】変更
【補正の内容】
【０００８】
り工程と溝仕上げ工程で異なるボールエンドミルを用いて切削加工を行っても良い。溝仕上げ工程では、例えば溝粗取り工程に比較してボールエンドミルを軸方向の先端側へ所定の取り代分だけ深く挿入して切削加工が行われ、その先端部分の取り代が０．３ｍｍ以下とされる。その場合、ボールエンドミルの先端から離間するに従って取り代は少なくなる。また、溝仕上げ工程では、例えば切削速度が４０ｍ／ｍｉｎ以上の高速切削が望ましい。
実施例
［００２５］
以下、本発明の実施例を、図面を参照しつつ詳細に説明する。
図１は、本発明の一実施例であるインデキサブル式ドリル１０を軸心Ｓと直角方向から見た平面図で、図２は先端側（図１の右側）から見て拡大して示す拡大底面図、図３は先端部分を拡大して示す斜視図である。このインデキサブル式ドリル１０は、円柱形状のドリル本体１２の先端部に一対の内刃チップ１４および外刃チップ１６をそれぞれ取付ねじ１８、１９により着脱可能に一体的に取り付けて使用される。内刃チップ１４は穴中心側を切削加工するものでドリル本体１２の軸心Ｓの近傍に取り付けられ、外刃チップ１６は穴外周側を切削加工するものでドリル本体１２の外周側に取り付けられる。これ等の内刃チップ１４および外刃チップ１６は、超硬合金にて正方形の平板形状に形成されているとともに、軸心Ｓを中心とする径方向においてオーバーラップして切削加工を行うように切れ刃寸法（正方形の１辺の長さ寸法）が定められている。本実施例ではドリル径Ｄ＝２５ｍｍで、内刃チップ１４および外刃チップ１６の１辺の長さは８ｍｍである。そして、それ等の内刃チップ１４および外刃チップ１６は、それぞれドリル本体１２の先端側へ僅かに突き出すように取り付けられ、その突出部分に切れ刃が設けられて穴明け加工を行う。
［００２６］
ドリル本体１２は、例えばＳＫＤ６１（ＨＲＣ５５程度）〔ＪＩＳの規定による合金工具鋼〕等の工具鋼にて構成されており、平坦な切欠２０が設けられたシャンク２２、および外周面に一対の第１ねじれ溝２４および第２ね
【手続補正１１】
【補正対象書類名】明細書
【補正対象項目名】００１４
【補正方法】変更
【補正の内容】
【００１４】
、第２ねじれ溝２６の軸方向勾配θ２は−０．２°〜−１°の範囲内の一定値に定められるため、内刃チップ１４および外刃チップ１６によって生成された切り屑の各々の排出性能およびドリル本体１２の剛性をバランス良く確保できる。特に、第１ねじれ溝２４および第２ねじれ溝２６の溝幅や溝深さも別々に定められているため、切り屑排出性能および剛性を一層バランス良く確保できる。
［００３９］
また、本実施例では、チップ取付凹所３６、３８の側壁３６ｂ、３８ｂに断面円弧形状のチップブレーカー４６、４８がドリル本体１２の先端から第１ねじれ溝２４、第２ねじれ溝２６に達するように設けられているため、内刃チップ１４および外刃チップ１６によって生成された切り屑が良好に分断されるようになり、切り屑排出性能が一層向上する。これにより、例えば粘りのある被削材に対して穴明け加工を行う場合でも、切り屑が分断されることにより適切に排出されるようになって切り屑詰まりが抑制される。
［００４０］
また、本実施例のインデキサブル式ドリル１０は、溝長Ｌがドリル径Ｄに対して４Ｄ以上の深穴加工用で、溝長Ｌが長い分だけ切り屑詰まりが生じ易くなるが、第１ねじれ溝２４および第２ねじれ溝２６が硬化熱処理後に鏡面仕上げされるとともに、第１ねじれ溝２４の溝底の軸方向勾配θ１および第２ねじれ溝２６の溝底の軸方向勾配θ２が別々に設定され、更にチップ取付凹所３６、３８の側壁３６ｂ、３８ｂにチップブレーカー４６、４８が設けられることにより、ドリル本体１２の剛性を確保しつつ優れた切り屑排出性能が得られるようになり、その切り屑排出性能の向上に伴う各種の効果が一層顕著に得られる。
［００４１］
また、本実施例では、硬化熱処理の後に溝粗取り工程で用いた同じボールエンドミル３０、３２により０．３ｍｍ以下の取り代で溝仕上げ切削を行うため、第１ねじれ溝２４および第２ねじれ溝２６の溝内面を適切に鏡面仕上げすることができる。特に、５０ｍ／ｍｉｎの切削速度で高速切削するため、溝内面が一層好適に鏡面仕上げされる。
［００４２］
【手続補正１２】
【補正対象書類名】明細書
【補正対象項目名】００１７
【補正方法】変更
【補正の内容】
【００１７】
［００４７］
［００４８］
以上、本発明の実施例を図面に基づいて詳細に説明したが、これ等はあくまでも一実施形態であり、本発明は当業者の知識に基づいて種々の変更、改良を加えた態様で実施することができる。
符号の説明
［００４９］
１０：インデキサブル式ドリル    １２：ドリル本体    １４：内刃チップ    １６：外刃チップ    ２４：第１ねじれ溝    ２６：第２ねじれ溝    ３０、３２：ボールエンドミル    ３６、３８：チップ取付凹所    ３６ｂ、３８ｂ：側壁    ４６、４８：チップブレーカー    Ｓ：軸心    Ｌ：溝長    Ｄ：ドリル径    θ１、θ２：溝底の軸方向勾配
【手続補正書】
【提出日】平成26年3月11日(2014.3.11)
【手続補正１】
【補正対象書類名】特許請求の範囲
【補正対象項目名】全文
【補正方法】変更
【補正の内容】
【特許請求の範囲】
【請求項１】
円柱形状の外周面に一対の第１ねじれ溝および第２ねじれ溝が設けられ、該第１ねじれ溝の先端部には穴中心側を切削加工する内刃チップが取り付けられるとともに、該第２ねじれ溝の先端部には穴外周側を切削加工する外刃チップが取り付けられ、該内刃チップおよび該外刃チップにより穴明け加工を行いながら該第１ねじれ溝および該第２ねじれ溝を経てシャンク側へ切り屑を排出するインデキサブル式ドリルのドリル本体において、
前記第１ねじれ溝および前記第２ねじれ溝の溝長Ｌが前記外刃チップの外径であるドリル径Ｄに対して４Ｄ以上の深穴加工用で、
前記第１ねじれ溝は、溝底径が軸方向において一定またはシャンク側へ向かうに従って大きくなる正勾配で設けられており、
前記第２ねじれ溝は、溝底径が軸方向においてシャンク側へ向かうに従って小さくなる負勾配で設けられている
ことを特徴とするインデキサブル式ドリルのドリル本体。
【請求項２】
前記第１ねじれ溝は、有効溝長の全長に亘って溝底径が軸方向において一定またはシャンク側へ向かうに従って大きくなる一定の正勾配で設けられており、
前記第２ねじれ溝は、有効溝長の全長に亘って溝底径が軸方向においてシャンク側へ向かうに従って小さくなる一定の負勾配で設けられている
ことを特徴とする請求項１に記載のインデキサブル式ドリルのドリル本体。
【請求項３】
前記第１ねじれ溝および前記第２ねじれ溝のドリル本体先端側には、それぞれ前記内刃チップおよび前記外刃チップを取り付けるために略直角に切り欠かれたチップ取付凹所が設けられているとともに、
少なくとも該内刃チップが取り付けられる側の前記チップ取付凹所の側壁には、断面円弧形状のチップブレーカーが前記ドリル本体の先端から前記第１ねじれ溝に達するように設けられている
ことを特徴とする請求項１または２に記載のインデキサブル式ドリルのドリル本体。
【請求項４】
前記第１ねじれ溝および前記第２ねじれ溝は、硬化熱処理が施された後にボールエンドミルによる切削加工で鏡面仕上げされている
ことを特徴とする請求項１〜３の何れか１項に記載のインデキサブル式ドリルのドリル本体。
【請求項５】
前記第１ねじれ溝および前記第２ねじれ溝の表面粗さは、前記鏡面仕上げにより算術平均粗さＲａが０．４μｍ以下で且つ最大高さ粗さＲｚが１．６μｍ以下とされている
ことを特徴とする請求項４に記載のインデキサブル式ドリルのドリル本体。
【手続補正２】
【補正対象書類名】明細書
【補正対象項目名】０００８
【補正方法】変更
【補正の内容】
【０００８】
第２発明は、第１発明のインデキサブル式ドリルのドリル本体において、(a) 前記第１ねじれ溝は、有効溝長の全長に亘って溝底径が軸方向において一定またはシャンク側へ向かうに従って大きくなる一定の正勾配で設けられており、(b) 前記第２ねじれ溝は、有効溝長の全長に亘って溝底径が軸方向においてシャンク側へ向かうに従って小さくなる一定の負勾配で設けられていることを特徴とする。
【手続補正３】
【補正対象書類名】明細書
【補正対象項目名】０００９
【補正方法】変更
【補正の内容】
【０００９】
第３発明は、第１発明または第２発明のインデキサブル式ドリルのドリル本体において、(a) 前記第１ねじれ溝および前記第２ねじれ溝のドリル本体先端側には、それぞれ前記内刃チップおよび前記外刃チップを取り付けるために略直角に切り欠かれたチップ取付凹所が設けられているとともに、(b) 少なくともその内刃チップが取り付けられる側の前記チップ取付凹所の側壁には、断面円弧形状のチップブレーカーが前記ドリル本体の先端から前記第１ねじれ溝に達するように設けられていることを特徴とする。
【手続補正４】
【補正対象書類名】明細書
【補正対象項目名】００１０
【補正方法】変更
【補正の内容】
【００１０】
第４発明は、第１発明〜第３発明の何れかのインデキサブル式ドリルのドリル本体において、前記第１ねじれ溝および前記第２ねじれ溝は、硬化熱処理が施された後にボールエンドミルによる切削加工で鏡面仕上げされていることを特徴とする。
【手続補正５】
【補正対象書類名】明細書
【補正対象項目名】００１１
【補正方法】変更
【補正の内容】
【００１１】
第５発明は、第４発明のインデキサブル式ドリルのドリル本体において、前記第１ねじれ溝および前記第２ねじれ溝の表面粗さは、前記鏡面仕上げにより算術平均粗さＲａが０．４μｍ以下で且つ最大高さ粗さＲｚが１．６μｍ以下とされていることを特徴とする。
【手続補正書】
【提出日】平成26年11月26日(2014.11.26)
【手続補正１】
【補正対象書類名】特許請求の範囲
【補正対象項目名】請求項１
【補正方法】変更
【補正の内容】
【請求項１】
円柱形状の外周面に一対の第１ねじれ溝および第２ねじれ溝が設けられ、該第１ねじれ溝の先端部には穴中心側を切削加工する内刃チップが取り付けられるとともに、該第２ねじれ溝の先端部には穴外周側を切削加工する外刃チップが取り付けられ、該内刃チップおよび該外刃チップにより穴明け加工を行いながら該第１ねじれ溝および該第２ねじれ溝を経てシャンク側へ切り屑を排出するインデキサブル式ドリルのドリル本体において、
前記第１ねじれ溝および前記第２ねじれ溝の有効溝長が何れも前記外刃チップの外径であるドリル径Ｄに対して４Ｄ以上の深穴加工用で、
前記第１ねじれ溝は、溝底径が軸方向において一定またはシャンク側へ向かうに従って大きくなる正勾配で設けられており、
前記第２ねじれ溝は、溝底径が軸方向においてシャンク側へ向かうに従って小さくなる負勾配で設けられている
ことを特徴とするインデキサブル式ドリルのドリル本体。
【手続補正２】
【補正対象書類名】明細書
【補正対象項目名】０００１
【補正方法】変更
【補正の内容】
【０００１】
本発明はインデキサブル式ドリルに係り、特に、有効溝長がドリル径Ｄに対して４Ｄ以上の深穴加工用のドリルにおいても優れた切り屑排出性能が得られるドリル本体に関するものである。
【手続補正３】
【補正対象書類名】明細書
【補正対象項目名】０００４
【補正方法】変更
【補正の内容】
【０００４】
しかしながら、このような従来のインデキサブル式ドリルにおいては、必ずしも十分な切り屑排出性能が得られず、切り屑詰まりにより摩耗や刃欠け、折損等が生じて耐久性（工具寿命）が低下したり、切り屑詰まりによる切削抵抗の増加で穴明け加工が不安定になったり加工条件が制約されたりする問題があった。特に、有効溝長がドリル径Ｄに対して４Ｄ以上の長さを有する深穴加工用のドリルの場合にこのような問題が顕著となる。
【手続補正４】
【補正対象書類名】明細書
【補正対象項目名】０００６
【補正方法】変更
【補正の内容】
【０００６】
かかる目的を達成するために、第１発明は、円柱形状の外周面に一対の第１ねじれ溝および第２ねじれ溝が設けられ、その第１ねじれ溝の先端部には穴中心側を切削加工する内刃チップが取り付けられるとともに、その第２ねじれ溝の先端部には穴外周側を切削加工する外刃チップが取り付けられ、それ等の内刃チップおよび外刃チップにより穴明け加工を行いながらその第１ねじれ溝および第２ねじれ溝を経てシャンク側へ切り屑を排出するインデキサブル式ドリルのドリル本体において、(a) 前記第１ねじれ溝および前記第２ねじれ溝の有効溝長が何れも前記外刃チップの外径であるドリル径Ｄに対して４Ｄ以上の深穴加工用で、(b) 前記第１ねじれ溝は、溝底径が軸方向において一定またはシャンク側へ向かうに従って大きくなる正勾配で設けられており、(c) 前記第２ねじれ溝は、溝底径が軸方向においてシャンク側へ向かうに従って小さくなる負勾配で設けられていることを特徴とする。溝底径は、ドリル本体の軸心を中心とする溝底までの直径を意味する。
【手続補正５】
【補正対象書類名】明細書
【補正対象項目名】００１６
【補正方法】変更
【補正の内容】
【００１６】
第４発明では、第１ねじれ溝および第２ねじれ溝が、硬化熱処理が施された後にボールエンドミルによる切削加工で鏡面仕上げされているため、溝内面の摩擦が低減されて切り屑が良好に排出されるようになる。これにより、有効溝長が長い深穴加工用のドリル本体においても、切り屑詰まりに起因する摩耗や刃欠け、折損等が抑制されて耐久性（工具寿命）が向上する。また、切り屑詰まりによる切削抵抗の増加が抑制されて安定した穴明け加工が可能になるとともに、穴明け加工が可能な限界加工条件が緩和されて加工可能領域が拡大される。
【手続補正６】
【補正対象書類名】明細書
【補正対象項目名】００１９
【補正方法】変更
【補正の内容】
【００１９】
本発明は、有効溝長がドリル径Ｄに対して４Ｄ以上の深穴加工用のドリル本体、特に５Ｄ以上の深穴加工用のドリル本体に好適に適用される。有効溝長は、第１ねじれ溝および第２ねじれ溝のシャンク側の切上げ直前位置からドリル本体の先端までの寸法で、第１ねじれ溝および第２ねじれ溝の有効溝長が異なる場合は短い方の有効溝長が４Ｄ以上である。これ等の第１ねじれ溝および第２ねじれ溝のねじれ方向は、内刃チップや外刃チップによって生成された切り屑がシャンク側へ排出されるように、ドリル回転方向に応じて定められる。すなわち、シャンク側から見て右まわりに回転駆動されて穴明け加工する場合は右ねじれとされ、左まわりに回転駆動されて穴明け加工する場合は左ねじれとされる。ドリル本体の材質としては、例えば高速度工具鋼や合金工具鋼、炭素工具鋼等の焼入れ等による硬化熱処理が可能な鋼材が用いられる。硬化熱処理後に鏡面仕上げするボールエンドミルは、超硬合金やセラミック等の超硬質工具材料製が望ましい。
【手続補正７】
【補正対象書類名】明細書
【補正対象項目名】００４９
【補正方法】変更
【補正の内容】
【００４９】
１０：インデキサブル式ドリル    １２：ドリル本体    １４：内刃チップ    １６：外刃チップ    ２４：第１ねじれ溝    ２６：第２ねじれ溝    ３０、３２：ボールエンドミル    ３６、３８：チップ取付凹所    ３６ｂ、３８ｂ：側壁    ４６、４８：チップブレーカー    Ｓ：軸心    Ｌ：溝長（有効溝長）    Ｄ：ドリル径    θ１、θ２：溝底の軸方向勾配
【国際調査報告】
2013038565.tif 000017
2013038565.tif 000018
2013038565.tif 000019
2013038565.tif 000020